(57)【要約】      （修正有）【課題】ストッキングを脱ぐことなく必要に応じて容易に解放感を味わうことができ、足指の防護性や防寒性を確保し、ファッション性に優れ、体裁が良く、開閉調整のための紐やリボンが邪魔とならず、かつ足先の耐久性に優れたストッキングを提供する。【解決手段】足袋１の先に開口を設けたストッキング本体と、足袋１の開口に沿って設けられた覆い布２と、覆い布２に挿設され前記開口を緊結しうる紐３を具備する。覆い布２には、足袋１の幅方向に亘って紐３を通す紐通し部２３と、この紐通し部２３よりも先側へ延伸して先側が開口となった延伸部２１とが設けられ、この延伸部２１を足袋１の上部側へ折り返すことで紐３を覆うことができる。【選択図】図２
2011032601.tif 000002
【特許請求の範囲】
【請求項１】
足袋の先部に足先を露出しうる開口を設けたストッキング本体と、前記足袋の先部に設けられ、少なくとも足甲側を覆うと共に足先の先端が開口縁となった覆い布と、足先の先端の開口縁から所定距離をあけた位置へ環状に挿設された紐とを具備し、足先位置が開口した開口状態から紐の紐端同士を緊結することで足先が閉口した閉口状態としうるものであって、前記覆い布には、足袋の幅方向に亘って紐を通す紐通し部と、この紐通し部よりも先側へ延伸して先側が開口縁となった延伸部とが設けられ、この延伸部を折り返して紐端を覆うことができることを特徴とするストッキング。
【請求項２】
紐通し部が、覆い布の表面に周着されて足回りを囲う挿通体からなり、この紐通し部の両端に、互いに近接して開口した一対の紐出し孔が設けられ、紐通し部内へ挿設された紐の両紐端が、各紐出し孔から紐通し部の外に突出してなる請求項１記載のストッキング。
【請求項３】
覆い布が、足袋の先側に設けられた筒状の布体からなり、紐通し部が、覆い布の筒内面を亘る環状の袋体からなり、この紐通し部には、覆われた足の甲部又は外側部に相当する位置に紐出し孔が形成され、紐通し部内へ挿設された紐の両紐端が、紐出し孔から覆い布を貫通して表面側に突出してなる請求項１記載のストッキング。
【請求項４】
覆い布は、足袋の開口端と重なって固定された筒状の基端部と、基端部の先端縁に沿って略環状に形成された袋状の紐通し部と、紐通し部の先側へ延伸された筒状の延伸部とから構成され、基端部の筒長である基端長は、延伸部の筒長である延伸長以上である請求項１、２又は３のいずれか記載のストッキング。
【請求項５】
覆い布が伸縮性のあるレース地であって一部分がストッキング地と重ねられて縫合されると共に、紐が覆い布の周方向の複数個所を貫通して表裏面側を交互に挿通する請求項１ないし４のいずれか記載のストッキング。
【発明の詳細な説明】
【技術分野】
【０００１】
本発明は、女性の下半身全体を覆うように装着するストッキング（パンティストッキング、タイツを含む）に関する。
【背景技術】
【０００２】
女性の下半身全体を覆うストッキングは、足にフィットする伸縮性の素材からなるため、拘束感がある。また一対の袋状部が左右それぞれの足全体を覆うため、ストッキングをはいた状態では足指間に鼻緒を配した履物を履くことができず、足指の治療を行うことができない。これらに鑑みて、足先部を開放したストッキングが要求される。
【０００３】
従来、ストッキング本体におけるストッキング部の足裏部の一部に周囲に解れ止め加工を施して伸縮自在の引き出し穴を設け、この引き出し穴から足指先部の挿通を自在としたストッキングが開示される（例えば、特許文献１参照）。これは、バレエの途中で足の怪我等に際しストッキングを脱ぐことなくすばやく手当てできるものとされる。
【０００４】
また従来、爪先部から足部の着脱が可能な靴下として、ストッキングの足底部に開口部を形成し、縁には伸縮性のある素材をつなぎ合わせたものが開示される（例えば、特許文献２参照）。これはつめ先部から足部の着脱が可能なものとして、必要に応じて容易に足を露出し、不快感を解消するものとされる。
【先行技術文献】
【特許文献】
【０００５】
【特許文献１】実開平７−１５７０５号公報
【特許文献２】特開２００４−３０８０２９号公報
【発明の概要】
【発明が解決しようとする課題】
【０００６】
これらはストッキングを脱ぐことなく必要に応じて解放感を味わうことが可能である。しかしながら、上記従来の靴下あるいはストッキングは、開口部が足底にあると共に、開口部が切り離したままであったり、開閉部の折り返しカバーが重ねあわせられたままであったりして、足先まで閉じた状態にすることができなかった。このため開口自体が必要でない場合において、足指の防護性や防寒性に劣るものであった。
【０００７】
また上記いずれも、開口時には足先が開口部から露出したままカバー部がひっくり返った状態のまま、あるいは、開口部より先の部分が余ったままである。また開口部が足裏以外の配置されたときは、開口を使用しない場合でも、開口となる切り離し部がそのまま露出した状態となる。このため、開口状態あるいは開口しない状態において、ファッション性に優れるとはいえず、また体裁の良いものとはいえなかった。
【０００８】
またファッション性の観点から、足先に通した紐・リボンの緊縮や結び目の形成によって足先を開閉調整することが考えられる。しかしこのようなものは、結んだ後の紐やリボンが足先付近にあると歩行の邪魔となり、結び目が不要に引っ掛かったり解けたりしてしまう場合があった。
【０００９】
さらに足先は歩行によって擦れたり引っ掛かったりしやすい箇所であり、開口部、その開閉機構あるいはその周辺布が破損してしまう場合があった。
【００１０】
そこで本発明においては、ストッキングを脱ぐことなく必要に応じて容易に解放感を味わうことができ、また足指の防護性や防寒性を確保し、開口状態と閉口状態のいずれにおいてもファッション性に優れ、体裁が良いストッキングを提供することを課題とする。さらに開閉調整のための紐やリボンが邪魔とならず、かつ足先の開口部やその周囲が破損しにくく耐久性に優れたストッキングを提供することを課題とする。
【課題を解決するための手段】
【００１１】
上記課題を解決するため、本発明では下記（１）ないし（５）の手段を講じている。
【００１２】
（１）すなわち、本発明のストッキングは、
足袋１を有してこの足袋１の先部に足先を露出しうる開口を設けたストッキング本体１０と、前記足袋の先部に設けられ、少なくとも足甲側を覆うと共に足先の先端が開口縁２１Ｅとなった覆い布２と、足先の先端の開口縁２１Ｅから所定距離をあけた位置へ環状に挿設された紐３とを具備し、足先位置が開口した開口状態Ｏ１／Ｏ２から紐３の紐端同士を緊結することで足先が閉口した閉口状態Ｓ１／Ｓ２としうるものであって、前記覆い布２には、足袋１の幅方向に亘って紐３を通す紐通し部２３と、この紐通し部２３よりも先側へ延伸して先側が開口縁２１Ｅとなった延伸部２１とが設けられ、この延伸部２１を折り返して紐端を覆うことができることを特徴とする。
【００１３】
このようなものであれば、全開を除く開口状態Ｏ或いは閉口状態Ｓのいずれにおいても、折り返した延伸部１によって紐端を収納するように紐３を覆うことができる。このため、紐３の結び部３Ｋが不要に解けたり邪魔になったりするのを防ぐことができ、また延伸裏面２１Ｒによって折り返した状態でもファッション性に優れ、体裁に優れたものとなる。さらにこの折り返した状態にすることで、ストッキングの開口部またはその周囲紐・リボンが通った部分やその周囲が二重の布構成となり、耐久性を有した構造となっている。
【００１４】
紐３は、覆い布２を緊結する緊結量によって開口大及び開口位置を調節することができる。これにより、足指のうちまとまった任意本数だけを露出させ、残りの足指を伸縮性の覆い布２で覆うことができる。
【００１５】
（２）前記（１）のストッキングにおいて、紐通し部２３が、覆い布２の表面に周着されて足回りを囲う挿通体からなり、この紐通し部２３の両端に、互いに近接して開口した一対の紐出し孔２３Ｈが設けられ、紐通し部２３内へ挿設された紐３の両紐端が、この紐出し孔２３Ｈから紐通し部２３の外に突出してなることが好ましい。
【００１６】
紐通し部２３が覆い布２の表側の面に周着されているため、覆い布２のうち紐通し部２３の先側を折り返したときに、紐通し部２３及び紐３が確実に隠されることとなる。このため折り返し状態での体裁を保ち、紐が不要に引っ掛かったり解けたりするのを防止することができる。
【００１７】
（３）或いは前記（１）のストッキングにおいて、覆い布２が、足袋１の先側に設けられた筒体からなり、紐通し部２３が、覆い布２の前記筒体の内面を亘る環状の袋体からなり、この紐通し部２３には、覆われた足の甲部又は外側部に相当する位置に、一つ又は二つの紐出し孔２３Ｈが形成され、紐通し部２３内へ挿設された紐３の両紐端が、この紐出し孔２３Ｈから覆い布２を貫通して覆い布２の表面側に突出してなることが好ましい。
【００１８】
紐出し孔２３Ｈから突出した紐３の紐端は，開口状態及び閉口状態のいずれにおいても足の甲側に露出する。ここで前記延伸部２１を折り返すことで、開口状態及び平衡状態のいずれにおいても、露出していた紐３の紐端を覆い隠すことができる。また紐通し部２３は環状の袋体であるため、紐通し部２３上或いはその前後端を折り縁２ＦＥとした場合でも、紐３が先側に露出することなく、良好な体裁を保つことができる。
【００１９】
（４）また前記（１）〜（４）いずれかのストッキングにおいて、覆い布２は、足袋１の開口端と重なって固定された筒状の基端部２２と、基端部２２の先端縁に沿って略環状に形成された袋状の紐通し部２３と、紐通し部２３の先側へ延伸された筒状の延伸部２１とから構成され、基端部２２の筒長である基端長２２Ｌは、延伸部２１の筒長である延伸長２１Ｌ以上であることが好ましい。
【００２０】
このようなものであれば、紐通し部２３付近を折り返した場合に、基端部２２の基端縁２２Ｅが、折り返した延伸部２１の延伸縁２１Ｅと同位置かそれよりも上部に位置することとなり、延伸部２１を折り返した状態での覆い布２の体裁を良好なものとすることができる。とくに紐通し部２３の先側縁を折り縁２ＦＥとして折り返すことで、必ず基端部２２の基端縁２２Ｅが、折り返した延伸部２１の延伸縁２１Ｅよりも上部に位置して重ねられることとなる。上記ストッキングにおいて、覆い布２は、切り取られたストッキングの足先の全周を囲う筒状体からなることが好ましい。
【００２１】
（５）また前記（１）〜（４）いずれかのストッキングにおいて、覆い布２が伸縮性のあるレース地であって一部分がストッキング地と重ねられて縫合されると共に、紐３が覆い布２の表裏面側を交互に挿通することが好ましい。
【００２２】
なお紐３は扁平断面の平リボンからなり、紐端に抜け止め部３１が形成されることが好ましい。特に、伸縮性を有する縫合糸で縫合されることで、ストッキング地及び覆い布の伸縮性に縫合糸が追従して伸縮することができる。
【００２３】
なお上記いずれかのストッキングにおいて、紐３が伸縮性を有すると共に、紐３の両端付近が表面弾性を有する結束具によって結束され、この結束具によって緊結量を調節しうるものでもよい（図示せず）。
【００２４】
覆い布２にはレース地などの任意のデザインが施される。先端の覆い布２によって開口を構成するため、体裁がよく、又開口部の強度を確保し、足先付近を保護することができる。レース地材で構成されるものであれば、足先付近の防寒機能と通気機能とを両備したものとなる。
【発明の効果】
【００２５】
本発明は、先端開口させた足先に覆い布２を配し、この覆い布２の周面（内周面または外周面）に沿って開閉機構である紐通し部及び紐３を設けているため、紐３の緊縮や結び目３Ｋを形成したり解いたりすることで、ストッキングを脱ぐことなく必要に応じて容易に解放感を味わうことができる。
【００２６】
また開口した足先には、装飾布として少なくとも足甲を覆う覆い布２を設けており、その周囲に亘る紐の緊縮・解放によって開口を閉じたり開いたりさせる機構になっているため、ファッション性に優れ、体裁に優れたものとなる。さらに紐の緊結によって開口の大きさを調節でき、また伸縮性のある覆い布によって開口の位置を調節することで、必要な足指の位置へ開口部の位置をずらして必要な大きさだけ開口させ、足指の防護性や防寒性を確保することができる。
【００２７】
さらに挿設した紐３よりも先側の延伸部２１を折り返すことで、開口状態と閉口状態のいずれにおいてもファッション性に優れ、体裁が良いものとなる。また結び目３Ｋや飛び出した紐３の先を、邪魔にならないように折り返した裏延伸布２１Ｒの下に隠すことができる。さらに延伸部２１を折り返して覆い布２を重ねた状態とすることで、足先の開口部やその周囲が破損しにくく耐久性に優れたストッキングとなる。
【００２８】
また、第一、第二開口状態Ｏ１、Ｏ２において覆い布２が開口部の少なくとも足の甲側全体を覆うため、覆い布２に任意のデザインを施すことでファッション性に優れ、体裁の良いストッキングを提供することが可能となる。
【図面の簡単な説明】
【００２９】
【図１】本発明の実施例１のストッキングの第一開口状態Ｏ１での使用状態を示す斜視説明図である。
【図２】実施例１のストッキングの第二開口状態Ｏ２での使用状態を示す斜視説明図である。
【図３】実施例１のストッキングの第一、第二閉口状態Ｓ１，Ｓ２での使用状態を示す斜視説明図である。
【図４】実施例１のストッキングの足先部分の正面図拡大図である。
【図５】図４に示す足先部分の一部破断断面図である。
【図６】本発明の実施例２のストッキングの第一開口状態Ｏ１での使用状態を示す斜視説明図である。
【図７】本発明の実施例２のストッキングの底面図を除く六面図である。
【発明を実施するための形態】
【００３０】
本発明の実施の形態について図面を参照して詳細に説明する。図１ないし図５は、本発明の実施例１のストッキング、図６は本発明の実施例２のストッキング、図７は本発明の実施例３のストッキングをそれぞれ示す。
【００３１】
＜本発明のストッキングの全体構成（図７等）＞
本発明のストッキングは、ストッキング本体１０の２本の足袋１の先側を開口させる（１Ｅ）と共に、この開口させた袋端１Ｅの上に使用者の足先を覆う覆い布２を固定し、この覆い布２の先端に、使用者の五本すべての足指を露出しうる大きさの開口縁２１Ｅを設けてなる。そして覆い布２の開口縁２１Ｅから所定距離を延伸部２１として残した中央寄りの位置に、開口部を緊結する紐３が挿設される。この紐３は覆い布２の表面または裏面に沿って環状に挿通されると共に両紐端が飛び出しており、紐３の緊縮量によって開口の大きさ及び開口位置を調節しうると共に、飛び出した紐端を結ぶことで開口量又は開閉の状態を固定する。
【００３２】
（折り返し構造）
前記覆い布２には、足袋１の幅方向に亘って紐３を通す紐通し部２３と、この紐通し部２３よりも先側へ延伸して先側が開口となった延伸部２１とが設けられる。この延伸部２１を紐通し部２３の前後端周辺の位置で足袋１の上部側へ折り返し、折り返し状態（Ｏ２，Ｓ２）とする。このような折り返し状態Ｏ２，Ｓ２とすることで裏延伸部２１Ｒが露出するが、この裏延伸部２１Ｒによって紐３を覆い隠すことができる。折り返し状態Ｏ２，Ｓ２では覆い布２が二重に構成され、かつ先側で紐を完全収容した状態となっている（図２、図３ｃ）。
【００３３】
（ストッキング本体１０）
ストッキング本体１０は、足にフィットする伸縮性の素材からなり、一対の足袋１の足先がそれぞれ切断されることで切断縁１Ｅが設けられる。切断された足袋１の先部が覆い布２の基端部２１から紐通し部２３までと重ねられ、紐通し部２３を構成するステッチ２３Ｓによって縫合されることで、この切断縁１Ｅが覆い布２に覆われる（図５）。
特に、切断縁１Ｅは切り離し状態のものではなく、先縁が紐通し部２３の紐通し幅２３Ｌより大きな幅の折り返し量で内側に折り返され、この折り返した辺を切断縁１Ｅとして覆い布２の延伸部２１の基端側と重ねた状態で縫合することが好ましい。実施例１ではさらに、折り返し状態の足袋１の先部の切断縁１Ｅを、紐通し幅２３Ｌを開けて幅方向に並走するステッチ２３Ｓによって縫合することで、覆い布２と足袋１の縫合と同時に紐通し部２３が形成される。
【００３４】
開口部は、ストッキング本体１０の足袋の切断縁１Ｅまたはこれよりも先に固定された覆い布２の先端である開口縁２１Ｅによって構成される。
【００３５】
（覆い布２）
覆い布２は、伸縮材で構成され、開口に沿って設けられる。少なくとも足の甲側の部分を覆うか、或いは足先の全周を覆う。実施例１〜３では覆い布２が、いわゆる筒状体からなり、切り取られたストッキングの足先の全周を囲う。覆い布２は具体的には、足袋１の先側へ向かって順に、基端部２２と、緊結紐を通す紐通し部２３と、これらよりも先側へ延伸する延伸部２１とから構成され、これら３構成がすべて共通の一体布で形成される。
【００３６】
覆い布２は、少なくとも一部分又は全部がストッキング地と重ねられて、伸縮性を有する縫合糸によってストッキング本体１に縫合される。実施例１〜３の覆い布２は伸縮性のあるレース地の布材で構成される。なお図６及び７ではレース地の模様を省略している。実施例３の覆い布２はレース地ではない伸縮布で構成される。実施例１、２の紐通し部２３は、筒長方向中央寄りの位置に所定の紐通し幅をあけて並設したステッチ２３Ｓによって形成される。実施例３の紐通し部２３は、足袋１又は覆い布２の周方向へ離間形成された複数個の線状の切り込みからなる。各切り込みは、覆い布２の筒長方向に形成された短い線状の貫通孔からなる。
【００３７】
（紐３）
紐３は、覆い布２の表裏面に交互に挿通された紐材である。紐３の緊結量によって覆い布２の開口の大きさ及び開口位置を調節し、これによって開口部付近を緊結する。実施例２の紐３は平リボンであり、実施例１，３，４の紐３は弾性を有する丸紐である。金属などの開口量調整ではないため、体裁に優れると共に、足への接触時に違和感が無く、容量が嵩張らない。
【００３８】
また、実施例１ないし３では足の甲部のうち、足の親指と人差し指の間あるいはその付近にて両端が開放され、紐３の両端に抜け止め玉部３１が形成される。実施例４では両端が結ばれて環状となっており、足の親指と人差し指の間あるいはその付近にて結束されている。両端開放位置或いは結束位置は、足の親指から人差し指の間である。これは、閉口状態、或いは全開ではない開口状態において、紐３には余り部分が生じるところ、この余り部分を、必要に応じて足の親指と人差し指の間に挟んで収容するためである。なお必ずしも挟む必要は無く、他の形態例として両端開放位置或いは結束位置が足裏に位置するものとしても良い。
【００３９】
緊結手段について、実施例１ないし３では、紐３を結ぶことで緊結され、実施例４では、紐３の両端付近が結束具４の結束によって緊結される。この結束具４によって緊結量を調節しうる。以下、各構成につき実施例に基づいて詳述する。
【実施例１】
【００４０】
本発明の実施例１のストッキングについて、足先五指が突出した第一開口状態Ｏ１を図１に、図１の状態から延伸部２１を折り返した第二開口状態Ｏ２を図２に、また図１の状態から第一閉口状態Ｓ１（図３ｂ）を経て第二閉口状態Ｓ２（図３ｃ）に至るまでの手順を図３に、それぞれ示す。そして第一開口状態Ｏ１にある覆い布２部分の平面状態を図４に、その高さ方向中央断面の構造を図５に、それぞれ示す。実施例１のストッキングは、足袋１を有してこの足袋の先部に足先を露出しうる開口を設けたストッキング本体１０と、前記足袋１の開口に沿って設けられ、足先の周囲全体を覆う筒状の装飾レース地からなる覆い布２と、足袋１の袋環に沿って覆い布２の内面側に設けられた袋状の紐通し部２１と、使用者の足甲位置に相当する上部中央にて覆い布２の構成材を貫通して設けられた一つの紐出し孔２３Ｈと、足袋１の袋環に沿って紐通し部２１内へ挿設され、紐出し孔２３Ｈから両紐端が突出した紐３とを具備する。紐３の紐端は二重に折り返されることで抜け止め部３１が構成され、足先が開口した開口状態Ｏ（Ｏ１，Ｏ２）から紐３を緊結することで足先が閉口した閉口状態Ｓ（Ｓ１，Ｓ２）とすることができるものとなっている。
【００４１】
（使用方法例）
本発明のストッキングは、図１、図４、図５の第一開口状態Ｏ１のように、開口部を全開の状態にして開口が足指の根元付近となるようにすることで、足指全てを開放させることができる。この第一開口状態Ｏでは、ストッキング本体１０を手繰り寄せて弛張の度合いを緩めることで、開口を任意の位置に調節することができる。例えば足の甲部分の中央付近でかかとまでをストッキング本体１で覆うようにすることもできるし、くるぶし付近までストッキング本体１を引き上げ、かかと以遠の足全体を出してスパッツのようにすることもできる。
【００４２】
第一または第二開口状態とすることで、５本指の靴下を本発明のストッキングの上から重ね履きできる。先端の足先の部分に開口部を設けているため、開口部より先の折り返し布が存在しない。又、邪魔をしない紐３で開口を調整し、バンド等で巻くこともしないため、開口状態Ｏでも違和感が無く自然な感触で重ね履きできる。
【００４３】
第一開口状態Ｏ１（図１）としたあと、紐通し部２３の前端を折り辺として延伸部２１を基端部２２側へ裏返して折り返し、ストッキングを足の根元側へ手繰り寄せることで、足先が二重に覆われた第二開口状態Ｏ２となる（図２）。この第二開口状態Ｏ２では抜け止め部３１が裏延伸部２１Ｒによって覆われ、紐端が外側へ突出して引っ掛かったり邪魔になったりすることがない。また実施例１では、延伸部２１の長さである延伸長２１Ｌと基端部２２の長さである基端長２２Ｌとが同一であり、基端部２２の先側に所定幅をもって連接された紐通し部２３の前端を折り辺として折り返している。このため、第二開口状態では、基端部２２の基端縁２２Ｅが折り返す延伸部２１の開口縁２１Ｅさよりも必ず上部となり、覆い布２の両縁が紐通し部２３の幅の分だけずれた状態となる（図２）。例えば実施例１のように、基端部２２の基端縁２２Ｅと、延伸部２１の開口縁２１Ｅを同一の曲線形状にて装飾的にカットしたものとすると、覆い布２の上縁に並行する２曲線形状があらわれ、折り返し状態が美麗なものとなり、体裁が良い。
【００４４】
特に実施例１では同一の緩湾曲線を連続させて開口縁２１Ｅ及び基端縁２２Ｅを構成しており、そこに複数の小さい飾り環４を離間させて取り付けているが、この緩湾曲線の位置、及び飾り環４の取り付け位置が開口縁２１Ｅ及び基端縁２２Ｅで共通する位置となっている（図４，５）。
【００４５】
また図３の第一閉口状態（ｂ）、第二閉口状態（ｃ）のように、紐３を引っ張って緊縛し、開口部を閉口状態Ｓとすることで、足指全てを覆うことができる。第一閉口状態Ｏ２（図３ｂ）としたあと、紐通し部２３の前端を折り辺として延伸部２１を基端部２２側へ裏返して折り返すことで、裏延伸布２１Ｒが露出する。この裏延伸布２１Ｒによって結び目３Ｋが隠されるため、結び目３Ｋが不要に解けたり引っ掛かったりすることがない。
【００４６】
また必要に応じて、紐３を緊縛して開口部を親指位置の親指貫通大の開口状態Ｏにして、伸縮材からなる覆い布２を引っ張って開口の位置をずらすことで、足の親指だけ、或いは一部の任意本数の足指だけを露出させることができる。
【実施例２】
【００４７】
図６に、本発明の実施例２のストッキングの第一開口状態Ｏ１での使用状態例を示す。実施例２において、紐３は平リボンからなるため、体裁がよく、また厚さが薄いため紐３による違和感を感じにくい。その他の特記しない構成および使用方法は、実施例１と同様である。
【００４８】
実施例２のストッキングは、足袋１を有してこの足袋の先部に足先を露出しうる開口を設けたストッキング本体１０と、前記足袋１の開口に沿って設けられ、足先の周囲全体を覆う筒状の装飾レース地からなる覆い布２と、足袋１の袋環に沿って覆い布２の周囲に沿って表面側に設けられ、両端が紐出し孔２３Ｈとして２口開口した袋状の紐通し部２３と、足袋１の袋環に沿って紐通し部２１内へ挿設され、覆い布２の表面側を亘って紐出し孔２３Ｈから両紐端が突出した紐３とを具備する。
【００４９】
実施例２の紐通し部２３は具体的には、覆い布２の周面を覆う透過性のある装飾布からなり、外側部を除いた周方向に沿って並行形成された２列のステッチ２３Ｓによって形成される。ステッチ２３Ｓは、所定の紐通し幅をあけて設けられ、紐通し部２３の装飾布の中を紐３が通り、外側部の２か所の紐出し孔２３Ｈから突出する。実施例２の紐出し孔２３Ｈは使用者の足の外側部位置に相当する側部の近傍位置へ二つ設けられる。紐出し孔２３Ｈを外側部に設けることで縫合が容易となる。また第一開口状態Ｏ１にて開口縁２１Ｅが足首の上方へ位置するまで手繰り寄せ、外側部にて結び目を形成した場合など、結び目がデザイン上のポイントとなるためファッション性に優れたものとなる。
【００５０】
延伸長２１Ｌは基端長２２Ｌより、紐通し部２３の紐通し幅（２列のステッチの列間隔）分だけ短く、紐通し部２３の前後いずれの位置で延伸部２１を折り返しても、必ず基端縁２２Ｅが上方に露出した状態となる。裏延伸布２１Ｒの開口縁２１Ｅが隠れることがなく、容易に裏返し状態を解除することができる。
【実施例３】
【００５１】
図７に実施例３のストッキングの正面図、背面図、平面図、右側面図及び左側面図を、それぞれ示す。実施例３のストッキングは、２本の足袋１を有してこの足袋の先部に足先を露出しうる開口を設けたストッキング本体１０と、前記足袋１の開口に沿って設けられ、足先の周囲全体を覆う筒状の装飾レース地からなる覆い布２と、足袋１の袋環に沿って覆い布２の周囲に沿って等間隔に設けられた、足長方向への線状の切り込みからなる紐通し部２３と、紐通し部２３の線状の切り込みへ連続的に貫通して、覆い布２の表面側及び裏面側を交互に構成材を貫通して設けられた、伸縮性を有する環状の紐３とを具備する。
実施例３の環状の紐３の任意の位置をつまんで引き上げることで紐３が緊縮して第一閉口状態Ｓ１となる。第一閉口状態で引き上げた紐３を結ぶことで開口量を固定することができる。金紐端は二重に折り返されることで抜け止め部３１が構成され、足先が開口した開口状態Ｏ（Ｏ１，Ｏ２）から紐３を緊結することで足先が閉口した閉口状態Ｓ（Ｓ１，Ｓ２）とすることができるものとなっている。実施例３の場合、基端部２２の基端縁２２Ｅから紐通し部２３の切り込みの先端側位置までの距離を基端長２２Ｌとし、切り込みの先端位置から延伸部２１の開口縁２１Ｅまでの距離を延伸長２１Ｌとする。実施例３では基端長２２Ｌと延伸長２１Ｌはほぼ同一である。覆い布２は伸縮性のある布で構成される。
【００５２】
その他、本発明は、上述した実施例に限定されることなく、本発明の趣旨を逸脱しない範囲において実施例の各構成の組合せ或いは抽出、一部要素の除外や公知形態への置換が可能である。
【産業上の利用可能性】
【００５３】
本発明のストッキングは、拘束感をやわらげるために開口部を開口させて使用するほか、本発明のストッキングをはいたままの状態でも足指間に鼻緒を配した履物（下駄、雪駄、サンダル等）を履くことができる。また足指の治療を行うことができる。また開放状態とすることで、５本指の靴下を本発明のストッキングの上から重ね履きできる。またストッキング地を変更してタイツにしたり、レギンスとして使用することも可能である。さらに股部を取り除いて先端開口した一本ずつの足袋１からなるレッグウォーマー、或いは靴下としても利用できる。
【符号の説明】
【００５４】
１  ストッキング本体
１１  開口縁
１２  内部切断縁
２  覆い布
２ＦＥ  折り縁
２１  延伸部
２１Ｒ  裏延伸布
２１Ｌ  延伸長
２２  基端部
２２Ｅ  基端縁
２２Ｌ  基端長
２３  紐通し部
２３Ｈ  紐出し孔
２３Ｓ  ステッチ
３  緊結紐
３１  抜け止め部
３Ｋ  結び部
Ｏ１  第一開口状態
Ｏ２  第二開口状態
Ｓ１  第一閉口状態
Ｓ２  第二閉口状態
４  飾り環
【図１】
2011032601.tif 000003
【図２】
2011032601.tif 000004
【図３】
2011032601.tif 000005
【図４】
2011032601.tif 000006
【図５】
2011032601.tif 000007
【図６】
2011032601.tif 000008
【図７】
2011032601.tif 000009